(57)【特許請求の範囲】
【請求項１】
変調されフレーム単位で記録された情報のフレーム同期信号よりクロックを抽出し、前記クロックに基づき前記情報より２値化再生信号を生成し前記２値化再生信号を復調するデジタル情報再生装置において、
前記フレーム同期信号から前記クロックのクロックスキュー情報を検出するクロックスキュー検出手段と、
前記２値化再生信号を、１フレームより所定クロック分短い時間だけ遅延させる遅延手段と、
前記遅延手段により遅延された前記２値化再生信号を、複数の所定クロック分遅延させ複数の遅延２値化再生信号を生成する遅延２値化再生信号生成手段と、
前記複数の遅延２値化再生信号を復調すると共に、復調エラーを検出する複数の復調手段と、
前記クロックスキュー検出手段が検出した前記クロックスキュー情報及び前記複数の復調手段が検出した前記復調エラーに基づき、前記複数の復調手段のうち１つを選択する復調選択手段と
を備えたことを特徴とするデジタル情報再生装置。
【請求項２】
前記遅延手段により遅延された前記２値化再生信号を、所定フレーム遅延させるフレーム遅延手段と、
前記復調選択手段が選択した前記復調手段に入力される前記遅延２値化再生信号と同じ時間だけ、前記フレーム遅延手段からの所定フレーム遅延した前記２値化再生信号を遅延させ復調するフレーム遅延信号復調手段と
を備えたことを特徴とする請求項１に記載のデジタル情報再生装置。
【請求項３】
変調されフレーム単位で記録された情報のフレーム同期信号よりクロックを抽出し、前記クロックに基づき前記情報より２値化再生信号を生成し前記２値化再生信号を復調するデジタル情報再生方法において、
前記フレーム同期信号から検出する前記クロックのクロックスキュー情報と、
前記２値化再生信号を１フレームより所定クロック分短い時間だけ遅延させた２値化再生信号を、複数の所定クロック分遅延させ生成し、前記複数の遅延２値化再生信号から検出する復調エラーとに基づき、
前記複数の遅延２値化再生信号のうち１つを選択する復調信号選択ステップを
備えることを特徴とするデジタル情報再生方法。
【発明の詳細な説明】
【０００１】
【発明の属する技術分野】
本発明はデジタル情報再生装置及びデジタル情報再生方法、更に詳しくは再生信号の再生におけるクロックスキューの影響の防止部分に特徴のあるデジタル情報再生装置及びデジタル情報再生方法に関する。
【０００２】
【従来の技術】
近年、コンパクト・ディスク（ＣＤ）に代表されるように、情報を１，０のデジタル信号の形で記録／再生するデジタル記録／再生装置が広く普及してきている。このデジタル記録／再生装置においては、再生された信号を記録時の情報に戻すためには、再生信号のどの位置がデータの位置であるかを知らせるクロックが必要である。例えば、予め記録媒体にクロックを再現するための基準信号を挿入している装置もあるが、ＣＤやＭＤ（ミニ・ディスク）のように再生信号からクロックをＰＬＬ（フェーズ・ロックド・ループ）等により自己抽出する装置が最近主流になっている。
【０００３】
なお、ディスク状記録媒体においては、ＣＤやＭＤ以外にデジタル・ビデオ・ディスク（ＤＶＤ）等も開発されており、特にＭＤやＤＶＤにおいてはより高密度に情報が記録されている。
【０００４】
従来の上記デジタル記録／再生装置では、図６に示すように、ディスク状記録媒体１００に変調して記録されている情報の再生信号より、情報の復調に必要なクロックを抽出する、上記ＰＬＬを構成するクロック抽出回路１０１が設けられている。
【０００５】
このクロック抽出回路１０１では、２値化回路１０２により上記再生信号を２値化した２値化再生信号（以下、ＲＦ信号）を位相比較器１０３に入力し、位相比較器１０３は、このＲＦ信号と後述する電圧制御発生器（ＶＣＯ）１０４の出力との位相差を検出し、２つの入力の位相差に関係する誤差信号をロー・パス・フィルタ（ＬＰＦ）１０５に出力する。ＬＰＦ１０５では、上記誤差信号の低周波成分だけを取りだし、制御電圧として上記ＶＣＯ１０４に出力する。そして、制御電圧に基づき、ＶＣＯ１０４は出力を位相比較器１０３にフィードバック出力することで、ＲＦ信号に同期したクロックを抽出する。
【０００６】
このようなクロック抽出回路１０１の構成では、ＲＦ信号の立ち上がりエッジと立ち下がりエッジがクロックのエッジと一致するようにフィードバック制御を行っているだけで、周波数の比較能力がないため、Ｓ／Ｎ比が低かったり歪んでいる品質の悪いＲＦ信号に対しては、瞬間的にクロックの周波数が高くなったり低くなったりして、いわゆる、クロックスキュー（例えば、本来１００個のクロックがあるべきであるところに、９９個のクロックしかなかったり、逆に１０１個のクロックに増えたりする現象）が発生する。
【０００７】
このクロックスキューに対して、従来は、クロックスキューが生じると、データの組がずれてしまい誤復調になることはあたりまえとする考え方が一般的であり、比較的短い間隔でフレーム同期信号を挿入することで、クロックスキューが生じる確率を最小限にするように対処していた。
【０００８】
【発明が解決しようとする課題】
しかしながら、フレーム同期信号は、記録密度という点では冗長なものであり、最近の高記録密度化の流れの中では、フレーム同期信号の挿入間隔は長くなる傾向にあり、情報の記憶密度を高めれば、さらにクロックスキューが起きやすくなる。
【０００９】
例えば、上記のＣＤとＤＶＤを比べると、フレーム同期信号の挿入間隔は約３倍長くなっており、クロックスキューの影響もそれに比例して大きくなっている。結果として、ＤＶＤではエラーレートが悪化することが予想されるために、ＣＤに比べて非常に強力なエラー訂正回路を搭載するしかなく、従来は、クロックスキューを起こさないようにするかということにのみ注力していたので、高密度化されたＭＤやＤＶＤに対しては、本質的かつ実質的にクロックスキューの影響を低減させることができないといった問題がある。
【００１０】
本発明は、上記事情に鑑みてなされたものであり、変調され高密度記録されたデジタル情報の再生におけるクロックスキューの影響を確実に防止することのできるデジタル情報再生装置及びデジタル情報再生方法を提供することを目的としている。
【００１１】
【課題を解決するための手段】
本発明のデジタル情報再生装置は、変調されフレーム単位で記録された情報のフレーム同期信号よりクロックを抽出し、前記クロックに基づき前記情報より２値化再生信号を生成し前記２値化再生信号を復調するデジタル情報再生装置において、前記フレーム同期信号から前記クロックのクロックスキュー情報を検出するクロックスキュー検出手段と、前記２値化再生信号を、１フレームより所定クロック分短い時間だけ遅延させる遅延手段と、前記遅延手段により遅延された前記２値化再生信号を、複数の所定クロック分遅延させ複数の遅延２値化再生信号を生成する遅延２値化再生信号生成手段と、前記複数の遅延２値化再生信号を復調すると共に、復調エラーを検出する複数の復調手段と、前記クロックスキュー検出手段が検出した前記クロックスキュー情報及び前記複数の復調手段が検出した前記復調エラーに基づき、前記複数の復調手段のうち１つを選択する復調選択手段とを備えて構成される。
【００１２】
本発明のデジタル情報再生装置では、前記復調選択手段が前記クロックスキュー検出手段が検出した前記クロックスキュー情報及び前記複数の復調手段が検出した前記復調エラーに基づき、前記複数の復調手段のうち１つを選択することで、変調され高密度記録されたデジタル情報の再生におけるクロックスキューの影響を確実に防止することを可能とする。
【００１３】
また、本発明のデジタル情報再生方法は、変調されフレーム単位で記録された情報のフレーム同期信号よりクロックを抽出し、前記クロックに基づき前記情報より２値化再生信号を生成し前記２値化再生信号を復調するデジタル情報再生方法において、前記フレーム同期信号から検出する前記クロックのクロックスキュー情報と、前記２値化再生信号を１フレームより所定クロック分短い時間だけ遅延させた２値化再生信号を、複数の所定クロック分遅延させ生成し、前記複数の遅延２値化再生信号から検出する復調エラーとに基づき、前記複数の遅延２値化再生信号のうち１つを選択する復調信号選択ステップを備えて構成される。
【００１４】
本発明のデジタル情報再生方法では、クロックスキュー情報及び復調エラーに基づき、前記複数の遅延２値化再生信号のうち１つを選択することで、変調され高密度記録されたデジタル情報の再生におけるクロックスキューの影響を確実に防止することを可能とする。
【００１５】
【発明の実施の形態】
以下、図面を参照しながら本発明の実施の形態について述べる。
【００１６】
図１乃至図４は本発明の第１の実施の形態に係わり、図１はデジタル情報再生装置の構成を示すブロック図、図２は図１の複数の復調回路に入力される遅延ＲＦ信号を説明する説明図、図３は図１のデジタル情報再生装置により再生される情報のクロックスキューの影響を説明する説明図、図４は図１のスキューパス検出部における処理の一例を示すフローチャートである。
【００１７】
図１に示すように、本実施の形態のデジタル情報再生装置１では、ＣＤ、ＭＤ等のディスク状記録媒体２から光学ヘッド２ａにより読み出された再生信号は、クロックを抽出する従来構成と同様なＰＬＬ３と、２値化しデジタル信号（以下、ＲＦ信号）に変換する２値化回路４とに出力される。
【００１８】
ここで、ディスク状記録媒体２には、情報がＣＤやＭＤ等で採用されているＥＦＭ(Eight to Fouteen Modulation)変調され、情報を８ビット毎に区切り１４ビットのチャネルビットからなるブロックに変換すると共に、１４ビットのブロック間に３ビットのチャネルビットを挿入して接続することで、最終的に情報を８ｂｉｔから１７ｂｉｔ変換し、ＮＲＺＩ(None Retern to Zero Inverted)方式で記録されている。
【００１９】
２値化回路４からのＲＦ信号は、１フレームより例えば２クロック分短い時間だけ遅延する第１の１フレーム遅延素子５（遅延手段）と、ＲＦ信号からフレーム同期信号を抜き出しＲＦ信号の開始点を決定する同期信号検出部６とに出力される。なお、第１の１フレーム遅延素子５及び同期信号検出部６ではＰＬＬ３により抽出されたクロックに基づいて上記処理を行っている。
【００２０】
同期信号検出部６で検出されたフレーム同期信号は、スキュー検出部７（クロックスキュー検出手段）及び第２の１フレーム遅延素子８に出力され、スキュー検出部７は、フレーム同期信号の間隔を測定し、クロックスキューの有無と方向及び数とを第１情報として検出し、第２の１フレーム遅延素子８は、フレーム同期信号を１フレーム遅延させる。
【００２１】
また、第１の１フレーム遅延素子５で１フレームより２クロック分短い時間だけ遅延されたＲＦ信号は、図２に示すように、クロックの０位相に対して、１クロック分遅延させる複数の遅延回路（ＤＬ）９ａ〜９ｊにより、異なる複数、例えば５つの遅延量−２ＣＬＫ、−１ＣＬＫ、０ＣＬＫ、＋１ＣＬＫ、＋２ＣＬＫ分、それぞれ遅延された５つの遅延RF信号を生じさせる遅延回路部９（遅延２値化再生信号生成手段）に出力される。そして、遅延回路部９を通過した５つの遅延ＲＦ信号は、複数、例えば５個の復調回路１０ａ〜１０ｅ（復調手段）に入力される。
【００２２】
これら復調回路１０ａ〜１０ｅの基本構成は同じものであって、復調回路１０ａ〜１０ｅは、ＰＬＬ３により抽出されたクロック及び第２の１フレーム遅延素子８からの１フレーム遅延したフレーム同期信号も入力しており、それぞれの遅延量で遅延された遅延ＲＦ信号をＥＦＭ復調する。
【００２３】
この復調回路１０ａ〜１０ｅにおいて、並列に遅延ＲＦ信号をそれぞれＥＦＭ復調すると、それらの中に復調テーブルに乗らずに復調エラーが発生するが、復調回路１０ａ〜１０ｅは、発生した復調エラーを第２情報としてスキューパス検出部１１（復調選択手段）に出力する。
【００２４】
一方、スキューパス検出部１１には、スキュー検出部７が検出した第１情報も入力されており、第１情報及び第２情報により後述するアルゴリズムによって、クロックスキューのない復調回路１０ａ〜１０ｅを検出する。そして、スキューパス検出部１１がこの検出結果に基づき復調回路１０ａ〜１０ｅの出力を選択するセレクタ１２を制御することで、復調出力として、制御回路１３に出力する。この制御回路１３は、この復調出力に対して時間軸伸長及び補正や誤り訂正及び補正を行ったり、ディスク状記録媒体２を駆動制御する図示しないサーボコントロール等を行うが公知であるので、説明は省略する。
【００２５】
このように構成された本実施の形態のデジタル情報再生装置１の作用について説明する。
【００２６】
上述したようにＲＦ信号は、図３に示すように、ディスク状記録媒体２に情報がＮＲＺＩ方式で記録されているため、”Ｈｉ”から”Ｌｏｗ”、または”Ｌｏｗ”から”Ｈｉ”へ変化したところで”１”、”Ｈｉ”や”Ｌｏｗ”が続いているところでは”０”と読み出される。
【００２７】
図３の場合、クロックスキューの無い時には、データは１６進数で”０１１０４”，”０９０２０”，…と続くが、クロックスキューが生じると、クロックスキューの位置のデータを読み飛ばしてしまうために、１７ビットのデータの組がずれてしまい  ”０１２０８”，”１２０４４”，…となる。
【００２８】
そして、これをＥＦＭ復調すると、
１．スキューの無い場合：０１１０４→２２，  ０９０２０→５８
２．スキューの有る場合：０１２０８→Ｃ８，  １２０４４→３Ａ
と全く異なるデータに化けてしまう。
【００２９】
本実施の形態のデジタル情報再生装置１では、スキュー検出部７が第１情報を、フレーム同期信号の間隔（すなわち、１フレームの長さまたはクロック数）から測定し得る。この結果、１フレームの中でクロックスキューの有無と方向を検出することができる。また、この第１情報は、第１の１フレーム遅延素子５により実際のＲＦ信号の復調が始まる１フレーム前に得らているので、スキューパス検出部１１は、この第１情報より、予め選択されるべき復調器１０ａ〜１０ｅの候補を絞りこむができる。
【００３０】
一方、 第２情報である復調エラーは、クロックスキューが生じたときに必ず発生するものではなく、復調テーブルに乗らない（存在しない）ときにのみ発生する。エラーとしての精度が比較的低いために、慎重に判断する必要があり、スキューパス検出部１１は、復調回路１０ｃから復調回路１０ｂへの切り換えのタイミングを、５個の復調器１０ａ〜１０ｅからの復調エラー 、すなわち第２情報 により判断する。より詳細には、本実施の形態では、例えば、以下のように行っている。
【００３１】
すなわち、スキューパス検出部１１は、例えば第１情報よりクロックスキューの方向がクロックが増える方向で数が１クロックだと判断すると、セレクタ１２を制御し、復調の開始時では復調出力を復調回路１０ｃより選択し、途中で復調回路１０ｂの出力に切り換えれば良いと予測する。そして、スキューパス検出部１１は、復調回路１０ｃから復調回路１０ｂへの切り換えのタイミングを、５個の復調器１０ａ〜１０ｅ（この場合には復調回路１０ｃと復調回路１０ｂの２個に限定される）からの復調エラー、すなわち第２情報により判断する。
【００３２】
そして、スキューパス検出部１１では、復調回路１０ｃの復調エラーが発生して、そのとき復調回路１０ｂから復調エラーが出ないという状態を内部の第１カウンタ（図示せず）でカウントし、この状態が２回続いたときに、復調回路１０ｃと復調回路１０ｂへ切り換えるものとする。ここで、この２回の間に復調回路１０ｂが復調エラーで復調回路１０ｃが非復調エラーの状態が発生した場合、第１カウンタはリセットされる。また、スキューパス検出部１１での切り換えは、１回切り換えが行われたら、逆に戻ることは無い。なお、復調回路１０ｃの復調エラーが発生して、そのとき復調回路１０ｂから復調エラーが出ないという状態が２回続いた場合に復調回路１０ｃと復調回路１０ｂへ切り換えるとしたが、回数は２回に限らず、所定の複数回が続いた時に切り換えるようにしてもよい。
【００３３】
次に、スキューパス検出部１１は、例えば第１情報によりクロックスキューの方向がクロックが減る方向で数が２クロックだと判断すると、復調回路１０ｃと復調回路１０ｄと復調器１０ｅを候補として絞り込む。この場合、上記１クロックの場合に比べて切り換え方が複雑で、
（１）復調回路１０ｃから復調器１０ｄ、さらに復調回路１０ｄから復調器１０ｅへの切り換え、
（２）復調回路１０ｃから復調器１０ｅへの切り換え
の２通りがある。
【００３４】
（１）の切り換えの場合は、スキューパス検出部１１は、例えば、以下に示す表１に従って動作する内部の第２カウンタ（図示せず）と、表２に従って動作する内部の第３カウンタ（図示せず）と、表３に従って動作する内部の第４カウンタ（図示せず）とを用い、図４に示すフローチャートに従って、切り換え処理を行う。
【００３５】
【表１】
0003636338.tif 000002
【００３６】
【表２】
0003636338.tif 000003
【００３７】
【表３】
0003636338.tif 000004
【００３８】
つまり、スキューパス検出部１１は、図４に示すように、ステップＳ１でセレクタ１２を制御し復調回路１０ｃの出力を選択し、ステップＳ２で第２情報より復調回路１０ｃの復調エラーが発生してそのとき復調回路１０ｄから復調エラーが出ないという状態をカウントする第２カウンタの値が所定の複数値（例えば２）を越えたかどうかを判断する。カウント直後では越えてはいないので、ステップＳ３に進み、ステップＳ３で第２情報より復調回路１０ｃの復調エラーが発生してそのとき復調回路１０ｅから復調エラーが出ないという状態をカウントする第４カウンタの値が所定の複数値（例えば２）を越えたかどうかを判断する。やはり、カウント直後では越えてはいないので、ステップＳ２に戻る。第２カウンタまたは第４カウンタが所定の複数値を越えるまで、 このステップＳ２、Ｓ３を繰り返す。
【００３９】
スキューパス検出部１１は、ステップＳ３で第４カウンタの値が所定の複数値を越えず、ステップＳ２で第２カウンタの値が所定の複数値を越えたと判断すると、ステップＳ２からステップＳ４に進み、ステップＳ４でセレクタ１２を制御し変調出力を復調回路１０ｃから復調器１０ｄへ切り換える。そして、ステップＳ５で第２情報より復調回路１０ｄの復調エラーが発生してそのとき復調回路１０ｅから復調エラーが出ないという状態をカウントする第３カウンタの値が所定の複数値（例えば２）を越えたかどうかを判断する。このステップＳ５の処理は第３カウンタの値が所定の複数値（例えば２）を越えるまで続く。
【００４０】
そして、スキューパス検出部１１は、ステップＳ５で第２情報より復調回路１０ｄの復調エラーが発生してそのとき復調回路１０ｅから復調エラーが出ないという状態をカウントする第３カウンタの値が所定の複数値を越えたと判断すると、ステップＳ６でセレクタ１２を制御し変調出力を復調回路１０ｄから復調器１０ｅへ切り換え、ステップＳ７で次のフレーム同期信号の待ち、処理を終了する。
【００４１】
上記のステップＳ２、Ｓ３を繰り返しにおいて、テップＳ２で第２カウンタの値が所定の複数値を越えず、ステップＳ３で第４カウンタの値が所定の複数値を越えたと判断すると、ステップＳ３からステップＳ８に進み、ステップＳ８でセレクタ１２を制御し変調出力を復調回路１０ｃから復調器１０ｅへ切り換え、上記ステップＳ７に進み次のフレーム同期信号の待ち、処理を終了する。
【００４２】
なお、フレームの長さにもよるが、上記（２）の切り換えに限定する考えかたを採用すると、１クロックの場合と同様にすることができる。
【００４３】
すなわち、スキューパス検出部１１では、復調回路１０ｃの復調エラーが発生して、そのとき復調回路１０ｅから復調エラーが出ないという状態を内部の第４カウンタ（図示せず）でカウントし、この状態が所定の複数回（例えば２回）続いたときに、復調回路１０ｃと復調回路１０ｅへ切り換えるものとする。ここで、この２回の間に復調回路１０ｂが復調エラーで復調回路１０ｅが非復調エラーの状態が発生した場合、第４カウンタはリセットされる。また、スキューパス検出部１１での切り換えは、１回切り換えが行われたら、逆に戻ることは無い。
【００４４】
このようにして、−２から＋２個のクロックの増減に対して５個の復調回路の内から１個を選択することができる。さらにこの考え方を応用して、−３〜＋３や−４〜＋４、あるいは５個以上の復調回路を用い、それ以上のクロックスキューの影響に対応することができることはいうまでもなく、複数の遅延ＲＦ信号を用いることで、所望のクロックの増減に対するクロックスキューの影響に対応することができる。
【００４５】
図５は本発明の第２の実施の形態に係るデジタル情報再生装置の構成を示すブロック図である。
【００４６】
第２の実施の形態は、第１の実施の形態とほとんど同じであるので、異なる点のみ説明し、同一の構成には同じ符号をつけ説明は省略する。
【００４７】
第１の実施の形態では、リアルタイムに複数個の復調回路の復調エラーの状態を見ながら複数個の復調回路からの最適な復調回路の選択を決定していたが、第２の実施の形態では、１フレーム分の復調エラーが全て出揃った時点で、最適な復調回路の選択を決定するようにしている。
【００４８】
すなわち、図５に示すように、第１の１フレーム遅延素子５により１フレームより２クロック分短い時間だけ遅延したＲＦ信号を、１フレーム分遅延させるＲＦ信号遅延回路３１と、ＲＦ信号遅延回路３１により遅延されたＲＦ信号をスキューパス検出部１１の制御により復調し制御回路１３に出力するＲＦ復調回路３２とを備え、本実施の形態ではセレクタ１２を省略した構成となっている。
【００４９】
ＲＦ復調回路３２は、同期信号の直後は第１の実施の形態と同様に、復調回路１０ｃと同じ０ＣＬＫの位相で開始するが、スキューパス検出部１１からの第３情報によりデータの組をずらせるようになっている。すなわち、スキューパス検出部１１は、第１情報及び第２情報により第１の実施の形態と同様なアルゴリズムによってクロックスキューのない復調回路１０ａ〜１０ｅを検出し、スキューパス検出部１１が第３情報により検出した復調回路と同じずれ量だけデータの組をずらせるようにＲＦ復調回路３２を制御する。
【００５０】
その他の構成及び作用は第１の実施の形態と同じである。
【００５１】
従って、本実施の形態では、第１の実施の形態の効果に加え、第１の１フレーム遅延素子５により１フレームより２クロック分短い時間だけ遅延したＲＦ信号を１フレーム分遅延させて、１フレーム分の復調エラーを全て見た上で判断するので、より正確な位置の特定ができる。
【００５２】
なお、第１の１フレーム遅延素子５により１フレームより２クロック分短い時間だけ遅延したＲＦ信号のさらなる遅延時間をもっと長くとることにより、第１情報及び第２情報を図示しないマイクロコンピュータに取り込んでクロックスキューの位置の判定をすることができる。マイクロコンピュータでは、ハードウエアーでは実現困難な高度な処理が行えるので、さらに正確さを向上させることも可能である。
【００５３】
【発明の効果】
以上説明したように本発明のデジタル情報再生装置によれば、復調選択手段がクロックスキュー検出手段が検出したクロックスキュー情報及び複数の復調手段が検出した復調エラーに基づき、複数の復調手段のうち１つを選択するので、変調され高密度記録されたデジタル情報の再生におけるクロックスキューの影響を確実に防止することができるという効果がある。
【００５４】
また、本発明のデジタル情報再生方法によれば、クロックスキュー情報及び復調エラーに基づき、前記複数の遅延２値化再生信号のうち１つを選択するので、変調され高密度記録されたデジタル情報の再生におけるクロックスキューの影響を確実に防止することができるという効果がある。
【図面の簡単な説明】
【図１】本発明の第１の実施の形態に係るデジタル情報再生装置の構成を示すブロック図である。
【図２】図１の複数の復調回路に入力される遅延ＲＦ信号を説明する説明図である。
【図３】図１のデジタル情報再生装置により再生される情報のクロックスキューの影響を説明する説明図である。
【図４】 図１のスキューパス検出部における処理の一例を示すフローチャートである。
【図５】本発明の第２の実施の形態に係るデジタル情報再生装置の構成を示すブロック図である。
【図６】従来のＰＬＬからなるクロック抽出回路の構成を示す構成図である。
【符号の説明】
１  デジタル情報再生装置，  ２  ディスク状記録媒体，  ３  ＰＬＬ，  ４２値化回路，  ５  第１の１フレーム遅延素子，  ６  同期信号検出部，  ７スキュー検出部，  ８  第２の１フレーム遅延素子，  ９  遅延回路部，  ９ａ〜９ｊ  遅延回路，  １０ａ〜１０ｅ  復調回路，  １１  スキューパス検出部，  １２  セレクタ，  １３  制御回路
【図１】
0003636338.tif 000005
【図２】
0003636338.tif 000006
【図３】
0003636338.tif 000007
【図４】
0003636338.tif 000008
【図５】
0003636338.tif 000009
【図６】
0003636338.tif 000010